【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
原稿を搬送する搬送部と、
第１色の光を受光する受光素子と前記第１色とは異なる第２色の光を受光する受光素子とが第１方向に配列された複数の受光素子を備える第１受光素子列と、前記第１色の光を受光する受光素子と前記第２色の光を受光する受光素子とが前記第１方向に配列された複数の受光素子を備える第２受光素子列と、が、前記第１方向と交差する第２方向に所定間隔で配列され、前記第１受光素子列及び前記第２受光素子列を用いて、前記搬送部によって搬送される前記原稿からの反射光を受光するラインセンサと、
前記ラインセンサの受光結果に基づいて、前記原稿の画像を表す読取データを生成する生成手段と、
前記第１受光素子列に含まれる前記第１色の光を受光する受光素子による読取データと前記第２受光素子列に含まれる前記第１色の光を受光する受光素子による読取データとに基づいて、前記生成手段によって生成された前記読取データを補正すべきか否かを判定する判定手段と、
前記判定手段による判定結果に基づいて、前記読取データを補正する補正手段と、
を有することを特徴とする、
画像読取装置。
【請求項２】
前記画像読取装置は、前記読取データの補正の要否を判定するための条件を表す情報を格納する格納手段を更に備えており、
前記判定手段は、前記格納手段に格納された前記情報、前記第１受光素子列に含まれる前記第１色の光を受光する受光素子による読取データ、及び前記第２受光素子列に含まれる前記第１色の光を受光する受光素子による読取データに基づいて、前記生成手段によって生成された前記読取データを補正すべきか否かを判定することを特徴とする、
請求項１に記載の画像読取装置。
【請求項３】
前記読取データには、前記受光素子が受光した光の輝度を表す輝度値が含まれ、
前記格納手段は、前記輝度値の条件を表す情報を格納し、
前記判定手段は、前記読取データに含まれる前記輝度値と、前記格納手段に格納される前記輝度値の条件と、を比較して、前記生成手段によって生成された前記読取データを補正すべきか否かを判定することを特徴とする、
請求項２に記載の画像読取装置。
【請求項４】
前記格納手段は、前記第１色の光を受光する受光素子の読取データに含まれる前記輝度値の前記第１の方向における周期的特性を表す情報を格納し、
前記判定手段は、前記第１色の光を受光する受光素子の読取データの輝度値が前記周期的特性に一致するか否かに基づいて、前記生成手段によって生成された前記読取データを補正すべきか否かを判定することを特徴とする、
請求項３に記載の画像読取装置。
【請求項５】
前記補正手段は、補正が必要な受光素子の読取データの輝度値を、該受光素子の前記第１の方向に隣接する受光素子の読取データの輝度値に基づいて補正することを特徴とする、
請求項４に記載の画像読取装置。
【請求項６】
前記補正手段は、補正が必要な受光素子の読取データの輝度値を、該受光素子の前記第１の方向に隣接する受光素子の読取データの輝度値と同値になるように補正することを特徴とする、
請求項５に記載の画像読取装置。
【請求項７】
前記補正手段は、補正が必要な受光素子の読取データの輝度値を、該受光素子の前記第１の方向に隣接する受光素子の読取データの輝度値との平均値を用いて補正することを特徴とする、
請求項５に記載の画像読取装置。
【請求項８】
前記第１受光素子列及び前記第２受光素子列の各々は、前記第１色の光を受光する受光素子と、前記第１色の光を受光する受光素子に隣接して配置される前記第２色の光を受光する受光素子と、を含むことを特徴とする、
請求項１乃至７のいずれか一項に記載の画像読取装置。
【請求項９】
前記第１受光素子列において前記第１方向における第１位置に配置された受光素子と、前記第２受光素子列において前記第１方向における前記第１位置に配置された受光素子とは、それぞれ異なる色の光を受光することを特徴とする、
請求項１乃至８のいずれか一項に記載の画像読取装置。
【請求項１０】
前記第１受光素子列及び前記第２受光素子列のそれぞれは、前記第１色及び前記第２色とは異なる第３色の光を受光する受光素子をさらに備え、
前記第１受光素子列及び前記第２受光素子列のそれぞれは、前記第１色の光を受光する受光素子、前記第１色の光を受光する受光素子に隣接する前記第２色の光を受光する受光素子、及び前記第２色の光を受光する受光素子に隣接する前記第３色の光を受光する受光素子を含むことを特徴とする、
請求項１乃至９のいずれか一項に記載の画像読取装置。
【請求項１１】
前記第１受光素子列及び前記第２受光素子列において、前記第１色の光を受光する受光素子、前記第２色の光を受光する受光素子、及び前記第３色の光を受光する受光素子は前記第１方向において周期的に配置されることを特徴とする、
請求項１０に記載の画像読取装置。
【請求項１２】
前記第１色は赤色、前記第２色は緑色、前記第３色は青色であることを特徴とする、
請求項１０又は１１に記載の画像読取装置。
【請求項１３】
原稿を搬送する搬送部と、
第１色の光を受光する受光素子と前記第１色とは異なる第２色の光を受光する受光素子と前記第１色及び前記第２色とは異なる第３色の光を受光する受光素子とが第１方向に配列された複数の受光素子を備える第１受光素子列と、前記第１色の光を受光する受光素子と前記第２色の光を受光する受光素子と前記第３色の光を受光する受光素子とが前記第１方向に配列された複数の受光素子を備える第２受光素子列と、前記第１色の光を受光する受光素子と前記第２色の光を受光する受光素子と前記第３色の光を受光する受光素子とが前記第１方向に配列された複数の受光素子を備える第３受光素子列と、が、前記第１方向と交差する第２方向に所定間隔で配列され、前記第１受光素子列、前記第２受光素子列を用い及び前記第３受光素子列を用いて、前記搬送部によって搬送される前記原稿からの反射光を受光するラインセンサと、
前記ラインセンサの受光結果に基づいて、前記原稿の画像を表す読取データを生成する生成手段と、
少なくとも一つのプロセッサと、
前記第１受光素子列に含まれる前記第１色の光を受光する受光素子による読取データと前記第２受光素子列に含まれる前記第１色の光を受光する受光素子による読取データと前記第３受光素子列に含まれる前記第１色の光を受光する受光素子による読取データとに基づいて、前記生成手段によって生成された前記読取データを補正すべきか否かを判定する判定手段と、
前記判定手段による判定結果に基づいて、前記読取データを補正する補正手段と、
を有することを特徴とする、
画像読取装置。
【請求項１４】
前記第１受光素子列において前記第１方向における第１位置に配置された受光素子と、前記第２受光素子列において前記第１方向における前記第１位置に配置された受光素子と、前記第３受光素子列において前記第１方向における前記第１位置に配置された受光素子とは、それぞれ異なる色の光を受光することを特徴とする、
請求項１３に記載の画像読取装置。
【請求項１５】
前記第１受光素子列、前記第２受光素子列、及び前記第３受光素子列において、前記第１色の光を受光する受光素子、前記第２色の光を受光する受光素子、及び前記第３色の光を受光する受光素子は前記第１方向に周期的に配置されることを特徴とする、
請求項１３又は１４に記載の画像読取装置。
【請求項１６】
前記第１色は赤色、前記第２色は緑色、前記第３色は青色であることを特徴とする、
請求項１３乃至１５のいずれか一項に記載の画像読取装置。
【請求項１７】
原稿を搬送する搬送部と、
第１色の光を受光する受光素子と前記第１色とは異なる第２色の光を受光する受光素子とが第１方向に配列された複数の受光素子を備える第１受光素子列と、前記第１色の光を受光する受光素子と前記第２色の光を受光する受光素子とが前記第１方向に配列された複数の受光素子を備える第２受光素子列と、が、前記第１方向と交差する第２方向に所定間隔で配列され、前記第１受光素子列及び前記第２受光素子列を用いて、前記搬送部によって搬送される前記原稿からの反射光を受光するラインセンサと、
前記ラインセンサの受光結果に基づいて、前記原稿の画像を表す読取データを生成する生成手段と、
前記生成手段によって生成された前記読取データに基づいて記録媒体に画像を形成する画像形成手段と、
前記第１受光素子列に含まれる前記第１色の光を受光する受光素子による読取データと前記第２受光素子列に含まれる前記第１色の光を受光する受光素子による読取データとに基づいて、前記生成手段によって生成された前記読取データを補正すべきか否かを判定する判定手段と、
前記判定手段による判定結果に基づいて、前記読取データを補正する補正手段と、
を有することを特徴とする、
画像形成装置。
【手続補正２】
【補正対象書類名】明細書
【補正対象項目名】発明の名称
【補正方法】変更
【補正の内容】
【発明の名称】画像読取装置、画像形成装置
【手続補正３】
【補正対象書類名】明細書
【補正対象項目名】００１１
【補正方法】変更
【補正の内容】
【００１１】
本発明の画像読取装置は、原稿を搬送する搬送部と、第１色の光を受光する受光素子と前記第１色とは異なる第２色の光を受光する受光素子とが第１方向に配列された複数の受光素子を備える第１受光素子列と、前記第１色の光を受光する受光素子と前記第２色の光を受光する受光素子とが前記第１方向に配列された複数の受光素子を備える第２受光素子列と、が、前記第１方向と交差する第２方向に所定間隔で配列され、前記第１受光素子列及び前記第２受光素子列を用いて、前記搬送部によって搬送される前記原稿からの反射光を受光するラインセンサと、前記ラインセンサの受光結果に基づいて、前記原稿の画像を表す読取データを生成する生成手段と、前記第１受光素子列に含まれる前記第１色の光を受光する受光素子による読取データと前記第２受光素子列に含まれる前記第１色の光を受光する受光素子による読取データとに基づいて、前記生成手段によって生成された前記読取データを補正すべきか否かを判定する判定手段と、前記判定手段による判定結果に基づいて、前記読取データを補正する補正手段と、を有することを特徴とする。